(57)【要約】特に車両におけるＳＣＲシステムと関連して、アンモニアを含むガス流（２）を生成するための蒸発装置（１）が提案され、この装置は、少なくとも以下、ハウジング（３）、流入部（５）および流出部（６）を有し、閉じられた壁（７）と隣接した少なくとも１つの蛇行した流路（４）、ならびに、ハウジング（３）と壁（７）との間に、少なくとも１つの流路（４）の第１の蒸発セクション（９）に配置され、かつ同軸上に渡っている少なくとも１つの熱導体（８）を備える。【選択図】図１
2011516769.tif 000002
【特許請求の範囲】
【請求項１】
アンモニアを含むガス流（２）を生成するための蒸発装置（１）であって、少なくとも、
ハウジング（３）と、
流入部（５）および流出部（６）を有し、閉じられた壁（７）によって画定された、少なくとも１つの蛇行したフローダクト（４）と、
前記ハウジング（３）と前記壁（７）との間に、前記少なくとも１つのフローダクト（４）の第１の蒸発セクション（９）において少なくとも配置され、かつ同軸上に渡っている、少なくとも１つの熱導体（８）と、
を備える、蒸発装置（１）。
【請求項２】
前記閉じられた壁（７）は、チタニウムを含む管（１０）によって形成される、請求項１に記載の蒸発装置（１）。
【請求項３】
前記壁（７）は、加水分解コーティング（１１）が少なくとも部分的に備わっている、請求項１または請求項２に記載の蒸発装置（１）。
【請求項４】
前記少なくとも１つの熱導体（８）は、少なくとも前記第１の蒸発セクション（９）において、前記ハウジング（３）および前記少なくとも１つのフローダクト（４）から間隔を置いて配置されている、請求項１から請求項３のいずれか一項に記載の蒸発装置（１）。
【請求項５】
少なくとも、前記少なくとも１つのフローダクト（４）、または前記少なくとも１つの熱導体（８）は、少なくともアルミニウムまたは銅を含む基体（１３）へと鋳造される、請求項１から請求項４のいずれか一項に記載の蒸発装置（１）。
【請求項６】
少なくとも、前記少なくとも１つのフローダクト（４）および前記少なくとも１つの熱導体（８）は、銅粉（４２）を含む基体（１３）に配置される、請求項１から請求項４のいずれか一項に記載の蒸発装置（１）。
【請求項７】
少なくとも１つの断熱部（１４）が、前記ハウジング（３）と前記少なくとも１つの熱導体（８）との間に提供される、請求項１から請求項６のいずれか一項に記載の蒸発装置（１）。
【請求項８】
前記蒸発装置（１）は、第１の蒸発セクション（９）および第２の蒸発セクション（１５）で形成され、かつ、以下の要素、すなわち、蛇行したフローダクト（４）、熱導体（８）、壁（７）、基体（１３）、および断熱部（１４）のうちの少なくとも１つの、少なくとも配置構成、数、または設計が変更可能である、請求項１から請求項７のいずれか一項に記載の蒸発装置（１）。
【請求項９】
前記蒸発装置（１）は、第１の蒸発セクション（９）および第２の蒸発セクション（１５）で形成され、前記第１の蒸発セクション（９）および前記第２の蒸発セクション（１５）は互いに平行し、かつターニングセクション（４０）を介して互いに連結される、請求項１から請求項８のいずれか一項に記載の蒸発装置（１）。
【請求項１０】
加水分解コーティング（１１）を有する少なくとも１つの反応チャンバ（１６）が、前記少なくとも１つのフローダクト（４）の前記流出部（６）に隣接して提供される、請求項１から請求項９のいずれか一項に記載の蒸発装置（１）。
【請求項１１】
少なくとも１つのタンク（１８）、投与ポンプ（１９）、請求項１から請求項１０のいずれか一項に記載の蒸発装置（１）、および上述の構成要素を少なくとも部分的に連結する少なくとも１つのラインセクション（２０）を備える、装置（１７）。
【請求項１２】
内燃エンジン（２２）および排気システム（２３）を有する車両（２１）であって、前記排気システム（２３）は少なくとも１つのＳＣＲ触媒体（２４）、および少なくとも１つのポート（２５）を有し、請求項１から請求項１０のいずれか一項に記載の蒸発装置（１）または請求項１１に記載の装置（１７）が、前記内燃エンジン（２２）と前記少なくとも１つのＳＣＲ触媒体（２４）との間に提供された結果、気体アンモニアが前記少なくとも１つのＳＣＲ触媒体（２４）へと流れるように、前記気体アンモニアが前記排気システム（２３）へと導かれることができる、車両（２１）。
【発明の詳細な説明】
【技術分野】
【０００１】
本発明は、アンモニアを含むガス流を生成するための蒸発装置（ユニット）に関する。この種の蒸発装置は、特に、液状および／または固体状のアンモニア前駆体から気体アンモニアを提供するために特に用いられる。本発明は、車両における排ガス後処理の関連内においても特に用いられる。
【背景技術】
【０００２】
特にディーゼル内燃エンジンにおいて、水溶液中の尿素がエンジンによって生成された排ガスに直接加えられること、または排ガスの外側で加水分解が行われた後にアンモニアがその排ガスに加えられることは好都合であることが証明されている。ここで、公知の方法において、その使用は、アンモニアが尿素から得られる加水分解触媒コンバータでなされる。尿素水溶液は、加水分解触媒コンバータの上流にて加えられ、ガス状に変えられ、この加水分解触媒コンバータと接触するように配置される。ここで生成されたアンモニアは、例えば、排ガス流内のさらに下流にあるいわゆるＳＣＲ触媒コンバータを用い、その排ガス流に含まれている窒素酸化物と反応させて、窒素分子および水を形成する。
【０００３】
尿素水溶液の蒸発の間の温度制御は特に困難である。このことは、第１に必要とされる尿素水溶液の量および第２に利用可能な温度が車両の用途において著しく変化し得るという事態から、特に考慮されるべきである。不完全な蒸発のみが得られる場合、中間生成物が形成され得、場合によってはこれが蒸発装置を詰まらせてしまう。このような所望されない副産物は、例えば、不水溶性のビウレットであり、これはイソシアン酸および尿素、ならびに、イソシアヌル酸の三量化物であるシアヌル酸から形成される。特に液状の尿素水溶液のアンモニア前駆体の蒸発の間、この所望されない、部分的にはもはや取り除くことのできない化合物の形成を回避するために、臨界温度範囲に亘って、液体への温度の導入を迅速に行わなければならないことが確認されている。
【０００４】
排ガスの外側での、尿素水溶液の蒸発のための装置は既に記載したが、これらの装置はこれまで、少なくとも自動車分野での使用には満足のいくものではなかった。ここで、公知の蒸発装置は、あらゆる動作状態での蒸発および／または蒸発されるアンモニア前駆体の量についての所望される完全性を、一部において保証することができない。これは特に、例えばディーゼルエンジン等の、自動車の内燃エンジンの動作状態を考慮して、蒸発装置の高度な動力学的調節の事象に当てはまる。
【発明の概要】
【発明が解決しようとする課題】
【０００５】
このことを出発点とすると、本発明の目的は、先行技術に関して重要視されている問題を少なくとも部分的に解決することである。特に、正確に所定量にて、アンモニアを含むガス流を生成するために、高い動力学的様式において、迅速かつ完全に尿素水溶液の蒸発を提供する蒸発装置を特定することを目的とする。ここで、その蒸発装置は、コンパクトかつシンプルな設計であるべきである。また、この蒸発装置は効率的なコストで製造されることができるべきである。
【課題を解決するための手段】
【０００６】
本発明の目的は、特許請求の範囲の請求項１の特徴に係る蒸発装置により達成される。この蒸発装置の有利な実施形態は従属の特許請求の範囲の請求項において特定される。従属の特許請求の範囲の請求項において各々特定される特徴は、任意の所望される技術的に有意義な方法において互いに組み合わされることができ、本発明のさらなる実施形態を提示することができる。また、本発明は、特に図面を参照し、詳細な説明によって、さらに特徴付けられ、かつより正確になされる。
【０００７】
アンモニアを含むガス流を生成するための本発明に係る蒸発装置は、少なくとも：
−ハウジングと、
−流入部および流出部を有し、閉じられた壁によって画定された、少なくとも１つの蛇行したフローダクトと、
−ハウジングと壁との間に、少なくとも１つのフローダクトの第１の蒸発セクションにおいて少なくとも配置され、かつ同軸上に渡っている、少なくとも１つの熱導体と、を備える。
【０００８】
この蒸発装置は、好ましくは非常にコンパクトな設計であり、例えば管状の形である。このタイプの蒸発装置の外側寸法は、例えば、長さ約４００ｍｍおよび直径が５０ｍｍの範囲である。それゆえこの蒸発装置は、移動式の内燃エンジンの排気システムのラインセクションの一部、および／またはこの排気ラインに通じる補助システムのラインセクションの一部に特に適している。
【０００９】
ハウジングは概してスチール材から形成される。特に好ましくは、ハウジングはスチール（鋼）の管である。ハウジングについては、高温耐性および／または特に高耐食性は必ずしも必要ではない。なぜならば、蒸発装置は、概して、排ガスが流れ、その結果高温となる排ガスシステムの領域の外側に配置されるからである。
【００１０】
フローダクトは「蛇行した」設計である。これは、まず（単に）フローダクトの非直線的な形状が実現されていることを意味する。フローダクトは、フローダクトまたは蒸発装置の中心軸を中心にして、周期的に変化する形状を有することが非常に特に好ましい。この蛇行した形状は、波形の形状として特に記載される。フローダクトの数は、所望の条件に対応して選択されてよく、単一の蛇行したフローダクトを有する実施形態が好ましい。しかしながら、必要に応じて、（例えば必要に応じて作動可能な）少なくとも１つのさらなるフローダクトが、（例えば、比較的多量のアンモニアガスを提供するために）提供されることもまた可能である。
【００１１】
流入部に関しては、一般的にはポンプおよび／またはタンクに連結できること、すなわち、アンモニア前駆体（例えば尿素水溶液）を蒸発装置または蛇行したフローダクトに導くことができることに留意されたい。次いで流出部は、一般的にその反対側に提供され、その流出部から（実質的に純粋な）アンモニアガスがフローダクトを出る。フローダクトは、一般的に、単一で、閉じられた、特に別個の壁によって画定される。この壁は、供給されるアンモニア前駆体が完全に蒸発されて、流出部から再び出ることを確保する。
【００１２】
さらに、少なくとも１つの熱導体が提供される。熱導体は、特に、迅速に高温に達し、要求に応じる電気的な熱導体である。熱導体は蒸発セクションにおいて（のみ）提供されることが好ましいが、必要に応じて、（特定の領域に対して）さらなる熱導体の配置または複数のさらなる熱導体を提供することもまた可能である。さらに、熱導体は、フローダクトに対して同軸上に渡る。これは、特に、熱導体が環状、コイル状等、フローダクトの周囲に配置されることを意味する。このために、熱導体は、必要に応じて、対応する電流または電圧供給と共に提供されるべきである。従って、電気的接続は、蒸発装置に提供されるべきであり、この電気的接続は、必要に応じて適切な制御器に連結されるべきである。ここで、熱導体は、電流（断続的）が供給されて、かつ、オーム抵抗加熱のために、フローダクトまたはその壁に（間接的に）送られる熱を生成する。少なくとも１つの第１の蒸発セクションにおいて、複数の熱導体を配置構成することによって、このフローダクト内で生成されるために、ガス流の温度を意図的に操作することが可能である。
【００１３】
この非常にコンパクトな設計は、熱導体の位置取りによって、熱を迅速に導入することを可能にするので、それゆえ、特に、アンモニア前駆体が導かれる蛇行したフローダクト中で迅速な温度上昇を可能にする。
【００１４】
閉じられた壁が、チタニウムを含む管によって形成されることは、この連結において特に好ましい。これは、特に、実質的にチタニウム（例えば、９０重量％以上のチタニウム）で構成された小さな管であり、その壁は波形構造で形成されており、この波形構造は内側および／または外側に存在してもよい。ここで、管は、例えば直径６ｍｍ未満で提供される。
【００１５】
本発明の１つの実施形態によれば、壁は、加水分解コーティングが少なくとも部分的備わっていることが提案される。加水分解コーティングは、アンモニアを生成するために、尿素の加水分解を促進するように形成される。多孔性コーティング（ｐｏｒｏｕｓ  ｃｏａｔｉｎｇ）、酸化物および／または塩がこのために用いられてもよい。フローダクトの壁がチタニウムで形成される場合、特に酸化チタンが壁に提供されることが提案されており、その結果、この酸化チタンはアンモニア前駆体と接触し、尿素水溶液の変換を促進して、アンモニアを生成する。完全を期すために、加水分解コーティングは第１の蒸発セクションの一部分のみに提供されてもよいことが理解されている。
【００１６】
また、少なくとも１つの熱導体は、ハウジングおよび少なくとも第１の蒸発セクションにおける少なくとも１つのフローダクトから距離を置いて配置されることが提案される。これはまた、言い換えれば、この手段が、ハウジングと、少なくとも一つのフローダクトとの両方に対して間隔を有して熱導体を固定して提供されることを意味する。ここで、この間隔はまた、アンモニア前駆体の流れ方向において、蒸発セクション内で可変であってよく、すなわち、熱導体は、例えば、ある箇所においてハウジングに対してより接近し、他の箇所においてフローダクトに対してより接近して配置されてもよい。フローダクトに対する熱導体の間隔によって、フローダクト内の温度プロファイルを意図的に操作することが同様に可能であり、ここで同時に、２つの構成要素のうちの１つへの集中的な連結を回避することができ、これにより、このような熱導体の処理またはメンテナンスに関して利点を生じることができる場合がある。
【００１７】
少なくとも、少なくとも１つのフローダクトまたは少なくとも１つの熱導体は、少なくともアルミニウムまたは銅を含む基体へと鋳造されることも提案される。特に、基体（これは必要に応じて、複数のパーツから構成されてもよい）は、ケーシング／ハウジングで形成されてもよく、これらケーシング／ハウジンはその内部に配置されたアルミニウムおよび銅の部品から構成される。好ましくは両方の要素が（単一の）基体内に鋳造される。熱導体およびフローダクト（例えばフローダクトの壁）の鋳造により、特に、熱導体からフローダクトへの十分な熱伝達をもたらす。基体のための材料としてのアルミニウムは、この材料が特に、鋳造し易くかつ優れた熱伝導性を有する点で利点を有する。同時に、蒸発装置の重さは軽く保たれるが、これは常に車両構造における重要な目的である。
【００１８】
基体は、特にまた、ハウジングおよびフローダクトから、熱導体を離して間隔を置く手段として役に立ち得る。特に、構造化された、すなわち蛇行したチタニウムの管は、チタニウムよりも低い融点を有するアルミニウム、銅、および／または一部の他の熱伝導性材料を用いて（基体に）密閉することが可能である。このように、「平滑な」外側壁を有する管状体（ｔｕｂｅ−ｌｉｋｅ  ｂｏｄｙ）を再び生成することは可能である。少なくとも１つの熱導体のための経路は次いで、この外側壁へと、例えば、スレッド状等で、形成可能である。熱導体は次いで、この経路内に（例えば溝等で）配置でき、基体と（例えばはんだ付け等で）連結できる。
【００１９】
さらなる有利な実施形態によれば、少なくともフローダクト、または少なくとも１つの熱導体は、銅粉を含む基体に配置される。特に、フローダクトおよび少なくとも１つの熱導体は、ハウジング（例えばアルミニウムで構成された）内に配置され、銅粉によって固定される。銅粉は、特に圧縮されているので、少なくとも１つの熱導体とフローダクトの壁との十分な接触が確保され、それに応じて熱交換が生じる。銅粉の圧縮（ｃｏｍｐａｃｔｉｏｎ）はまた、特に、銅粉の均一の分布をもたらし、それにより、熱導体からフローダクトへの均一な熱交換を可能にする。銅粉の使用は、特にエネルギーの使用をより少なくし、かつ基体内の熱導体およびフローダクトの鋳造よりも、処理に関して言えば、よりシンプルに実行可能である。それゆえ、鋳造体（ｃａｓｔ  ｂｏｄｙ）の孔および他の不均等性をチェックする必要がない。銅粉がここでは基本的に好ましいが、熱導体からフローダクトへの熱の類似する伝達を可能にする他の材料の粉末（例えば、アルミニウム）を追加としておよび／または代替として利用することもまた同様に可能である。
【００２０】
蒸発装置の１つの改良によれば、少なくとも１つの断熱部はハウジングと少なくとも１つの熱導体との間に配置されることが提供される。断熱部は、（特に基体に対する熱伝導に関連して）熱導体からハウジングへの熱の伝播を特に回避する材料を含む。ここで適切な材料は、特に、セラミック材料を好ましくは含むコーティングおよび／または別個の構成要素である。これと組み合わせて、または代替として、熱の伝播を同様に回避する真空チャンバが提供されることが提案される。
【００２１】
さらに、蒸発装置は、第１の蒸発セクションおよび第２の蒸発セクションで形成され、かつ、以下の要素、すなわち、蛇行したフローダクト、熱導体、壁、基体、および断熱部のうちの少なくとも１つの、少なくとも配置構成、数、または設計が変更可能であることが有利であると想定される。これらの複数の要素、特に、少なくとも３つの要素は、第１の蒸発セクションと第２の蒸発セクションとの間において異なることが非常に特に好ましい。このことは、これらの要素の配置構成、数、または設計に関連した変形が蒸発セクション内に存在することを意味するのみならず、変形が、蒸発セクションの間の中間領域に代替的に、または追加的に提供されてもよいことをも意味する。蛇行したフローダクトに関して、使用されるフローダクトの数、外形、フローダクトを形成する材料、および／またはフローダクトの断面を変更することが特に可能である。熱導体に関して、加熱力、熱導体の数、熱導体とフローダクトおよび／またはハウジングとの間の間隔、ならびに／あるいは熱導体の制御は可変であると想定される。壁に関して、例示として、ここでは材料、コーティング、および／または壁の厚さが必要に応じて変更されてもよいことが記載される。基体は、一つの蒸発セクション内および／または複数の蒸発セクション間において、例えば、空洞、さらなる材料等を有して形成されてもよい。断熱部はまた、例えば、絶縁層の数および／またはこれらに用いられる材料に関して、蒸発セクション自体および／またはその中間領域において変更されてもよい。
【００２２】
蒸発装置は、第１の蒸発セクションおよび第２の蒸発セクションを用いて形成され、この第１の蒸発セクションおよび第２の蒸発セクションは互いに平行し、かつターニングセクションを介して互いに連結されることが有利であると想定される。ここで第１の蒸発セクションおよび第２の蒸発セクションを有して提案された変形において、特にコンパクトな配置構成を提供することが目的とされる。この目的のために、フローダクトは、互いに隣接して置かれ、または、少なくとも１つの領域において平行した配置構成で置かれる。ここで、「平行」とは、数学的な意味にて厳密に解釈される必要はなく、実際には、ここでは単に、フローダクトを蒸発装置内でスペースを節約するように配置することができるように、かつ必要に応じて、互いに隣接して配置されたフローダクトの２つの領域間における熱交換を可能にするかまたは促進するために、互いに隣接して置かれることが重要であることに留意されたい。これらの２つの平行した蒸発セクションは、ターニングセクションを介して互いに連結され、このターニングセクションは、例えば、半円状に曲げられたように形成されている。
【００２３】
この変形において、異なる熱導体が同時に提供されることが特に好ましい。例えば、自己調節のＰＴＣ（正の温度係数）要素が、第１の蒸発セクションにおいて用いられることは有利であると想定される。このＰＴＣ要素は、高い温度よりも、低い温度にて電流をより良く伝えることができる導電材料である。電気抵抗は温度上昇と共に増加する。これはまた、言い換えれば、加熱力は、温度上昇と共に同様に低くなることを意味する。これはまた、特に、隣接する第２の蒸発セクションによって影響され得る。フローダクトに対して同軸上に配置された熱導体は、好ましくは、第２の蒸発セクションにおいて提供される。所望の温度をここで得るかまたは維持するために、必要に応じて、ターニングセクションが、この同軸上に配置された熱導体を用いて形成されることもまた可能であってよい。
【００２４】
加水分解コーティングを有する少なくとも１つの反応チャンバが、少なくとも１つのフローダクトの流出部に隣接して提供されることもまた提案されている。これは、言い換えれば、少なくとも二段階の加水分解が、蒸発装置内（排ガスの外側）で実行されることが好ましいことを意味する。複数の蒸発セクションが提供される場合、加水分解は、少なくとも１つの蒸発セクションにおいて生じ得るが、好ましくは、全ての蒸発セクションおよび反応チャンバにおいて生じてもよい。このため、反応チャンバはまた、例えば、その中に一体化されたハニカム体を提供した結果として、増加した数のフローダクトを有してもよい。このタイプのハニカム体は、特に、複数の、少なくとも部分的に構造化された金属箔を用いて形成される。この金属箔は、好ましくは、加水分解コーティングが備わっている。これに関連して、再び、チタニウムが主な材料として利用可能である。
【００２５】
少なくとも１つのタンク、投与ポンプ、本発明に係るタイプの蒸発セクション、および上述の構成要素を少なくとも部分的に連結する少なくとも１つのラインセクションを備える、装置もまた提案される。特に、尿素水溶液を用いる場合、タンクは液体タンクを構成する。投与ポンプは、好ましくはタンクと蒸発装置との間に配置され、特に短い期間かつ非常に高精度にて、尿素水溶液を蒸発装置に供給することができる。ラインセクションは、好ましくは、アルミニウムおよび／またはスチール管で形成される。この装置は、さらに、センサおよび／または（電気的）制御器および／またはバルブを備えてもよい。
【００２６】
内燃エンジンおよび排気システムを有する車両であって、排気システムは少なくとも１つのＳＣＲ触媒体および少なくとも１つのポートを有し、本発明に係るタイプの蒸発装置または上述の装置は内燃エンジンと少なくとも１つのＳＣＲ触媒体との間に提供された結果、気体アンモニアが少なくとも１つのＳＣＲ触媒体へと流れるように、その気体アンモニアは排気システムへと導かれることができる。ここで非常に特に好ましいことは、さらなるバルブが、一方で蛇行したフローダクトの流出部と、他方でポートまたは排気システムとの間には提供されず、または存在したとしても反応チャンバの端部であるということである。適切な場合、ポートはまた、蒸発装置を去り排気システム中の排ガスに供給されるアンモニアを含むガス流を分布するための手段として提供されてもよい。
【００２７】
ＳＣＲ触媒体として、例えばＳＣＲコーティングを有する（セラミックかつ押出の）ハニカム体で従来的に構成されたものが使用される。このタイプのＳＣＲコーティングは、好ましくは、Ｖ２Ｏ５／ＷＯ３／ＴｉＯ２タイプ（五酸化バナジウム／三酸化タングステン／二酸化チタン）である。
【００２８】
本発明および本発明の技術分野は、図面を元にして以下により詳細に説明される。図面に示される実施形態の変形は、本発明を限定することを意図しないことに留意されたい。また、図面において同様の参照符号が同一の対象物に対して用いられる。図面は概略的に示される。
【図面の簡単な説明】
【００２９】
【図１】図１は本発明に係る蒸発装置の設計上の変形である。
【図２】図２は蒸発装置のさらなる実施形態の詳細である。
【図３】図３は自動車におけるＳＣＲシステムの概略的な設計である。
【図４】図４は蒸発装置のさらなる設計である。
【図５】図５は銅粉を用いた、蒸発装置のさらなる設計の断面図である。
【発明を実施するための形態】
【００３０】
図１は、断面図での、蒸発装置１の第１の特に好ましい設計の変形を示す。この蒸発装置１は、鋼でできた管状のハウジング３によって外側に対して区切られている。液体（例えば尿素水溶液）が蒸発する流れ方向３１において、蒸発装置１は、特に、第１の蒸発セクション９、第２の蒸発セクション１５、および反応チャンバ１６の３つの部分的領域に分けることができる。
【００３１】
蒸発装置１の中央にある構成要素は、チタニウムでできた管１０を備え、壁７で画定され、中央に配置された蛇行したフローダクト４である。蒸発セクション９、１５の両方において、フローダクト４の波形形状が、チタニウムでできた管１０により実現されている。ここで、尿素水溶液は、液状において特に流入部５に入り、次いで第１の蒸発セクション９を通過する。
【００３２】
管１０は、特にアルミニウム材料または銅材料で形成された基体１３によって囲まれている。チタニウムでできた管１０と同様に、熱導体８が、このように基体１３へと鋳造される。ここでは円筒形状の設計である基体１３は、第１の蒸発セクション９の実質的に全長に延在し、かつセラミック層３２により、その外側に対して画定されている。セラミック層３２は、特にセラミック粉末で形成されてもよい。さらなるセラミック管３３がさらに外側、すなわちセラミック層３２とハウジング３との間に提供される。セラミック層３２およびセラミック管３３は共に、断熱部１４を形成する。断熱部１４およびハウジング３ならびにチタニウムでできた管１０は、第１の蒸発セクション９および第２の蒸発セクション１５に亘って一繋がりで形成される一方で、基体１３は第１の蒸発セクション９および第２の蒸発セクション１５において各々分離して提供される。別々の接続を用いることが適切な場合は、別々の熱導体８がここで同様に形成される。
【００３３】
さらに、間隙３４が２つの基体１３の間に提供され、この間隙３４は特に軸方向の断熱をなす。このようにして、第１の蒸発セクション９および第２の蒸発セクション１５の温度プロファイルは、必要に応じて、別々に規制または調節可能である。フローダクト４はまた、第１の蒸発セクション９と第２の蒸発セクション１５との間の遷移領域においては異なる設計であり、この場合、特に、遷移セクション３５では広げられて、直線的である。第１の蒸発セクション９および第２の蒸発セクション１５において、熱導体８とフローダクト４との間の間隔１２は実質的に等しい。
【００３４】
フローダクト４の流出部６の領域において、基体１３は、次いで、この部分までに（ほぼ）完全に蒸発された尿素水溶液が広がる拡大部３７を有する。この拡大部３７に隣接するように反応チャンバ１６が形成され、ここにおいて、加水分解コーティング１１を有するハニカム体３６が提供される。アンモニアを形成するために、完全に変換されたガスは、次いで、蒸発装置１を去り、排気システムへと流れることができる。
【００３５】
図２は、部分的な断面図における蒸発装置１のさらなる実施形態の詳細を示す。中心軸３８を中心にして周期的に間隔をあけているフローダクト４の通路が図２の底部に示される。ここでフローダクト４は、例えば４ｍｍの直径３９を有する。さらに、加水分解コーティング１１は、フローダクト４の内部またはその壁７に提供される。しかしながら、フローダクト４は、熱導体８がらせん巻きの形状で提供される基体１３へと鋳造される。ここで、左側の領域において、フローダクト４に対して特定の間隔１２を有して配置されている熱導体８が示される。右側にはさらに、部分的に重なり、特に、互いにさらに密集した配置構成となっている複数の熱導体８が、ハウジング３に対してまたは断熱部１４に対して間隔１２を有して提供されており、熱導体８がフローダクト４により接近して提供されるようにここで熱導体８は増加されている。
【００３６】
図３は、自動車２１、特に、乗用車または公共機関の車両をここで概略的に示す。内燃エンジン２２において生成された排ガスは、対応する排気システム２３を介して浄化されて、環境へと排出される。ここで排ガスは、さらに下流でＳＣＲ触媒体（ｃａｔａｌｙｓｔ  ｂｏｄｙ）２４に最終的に浸入する前に、まず触媒コンバータ２７（例えば、酸化触媒コンバータ）を介して、流れ方向３１に流れる。触媒コンバータ２７とＳＣＲ触媒体２４との間には、本発明に係る蒸発装置１のためのポート２５が提供されているので、アンモニアを含むガスの流れ２はこのポート２５において導かれる。アンモニアを含んだ排ガスの流れは、この混合物がＳＣＲ触媒体２４に到達する前に、必要に応じて、フローマニピュレータ２８（例えば静的ミキサ）に到達する。完全を期すために、ＳＣＲ触媒コンバータは、例えば、流入領域２９において粒子分離機および／または流出領域３０において酸化触媒コンバータ等の排ガス処理部品をさらに用いて、流入領域２９および／または流出領域３０に提供されてもよいことが理解される。同様に、他の排ガス処理装置もまたこの排気システム２３に提供されてもよいことが理解される。
【００３７】
本発明に係る蒸発装置１は、複数のラインセクション２０を介してタンク１８に連結される。タンク１８には例えば液状の尿素水溶液が提供され、これは次いで、投与ポンプ１９によって、時間および／または量に応じて蒸発装置１に供給される。このために、尿素水溶液の調節された混合物を蒸発装置へ、および、アンモニアガスの混合物を排ガスへ各々確保するために、投与ポンプ１９、蒸発装置１および／または内燃エンジン２２は、制御器２６に（データ送信の形式で、および／または動作可能に）連結されてよい。
【００３８】
完全を期すために、少なくとも１つのタンク１８、ラインセクション２０、投与ポンプ１９、および蒸発装置１を備える装置１７もまた、制御器２６の有無にかかわらず、構成要素のセットとして任意の所望される数で別個に用意されてもよいこともまた理解される。
【００３９】
図４は、ここで断面で示された基体１３を有する蒸発装置１を有する設計の変形を概略的に示す。基体１３にはフローダクト４が提供され、このフローダクト４はまず基体１３の方向に延在している。流れ方向３１において、フローダクト４またはその中を流れるガス／液体混合物を電気的に加熱するための複数のＰＴＣ要素がフローダクト４の片側に提供される。この領域は次いで第１の蒸発セクションン９を形成する。この第１の蒸発セクション９に隣接して、流れ方向３１が１８０度転向するターニングセクション４０が提供されている。このターニングセクション４０に隣接して第２の蒸発セクション１５が形成される。同軸の熱導体８はフローダクト４のこの部分の周囲に提供される。ガス流が次いで再びこの蒸発装置を去る前に、アンモニアの生成をさらに促進させるために、このガスは反応チャンバ１６をも介して導かれる。ここで提案された配置構成において、第１の蒸発セクション９と第２の蒸発セクション１５との間の熱交換効果を得て、それによりエネルギー的に好都合な設計を提供することが特に可能である。
【００４０】
図５は断面における蒸発装置１のさらなる実施形態を概略的に示す。蒸発装置１は管状のハウジング２を有し、フローダクト４は中央に配置され、熱導体８はこのフローダクト４に対して同軸に配置されている。フローダクト４および熱導体８は銅粉４２で囲まれているので、熱伝達は、一方で銅粉４２とフローダクト４、他方で銅粉４２と熱導体８との間の対応する接触によって生じることができる。このために、フローダクト４と熱導体８との間に配置された銅粉４２は特に圧縮されている。
【符号の説明】
【００４１】
１  蒸発装置
２  ガス流
３  ハウジング
４  フローダクト
５  流入部
６  流出部
７  壁
８  熱導体
９  第１の蒸発セクション
１０  管
１１  加水分解コーティング
１２  間隔
１３  基体
１４  断熱部
１５  第２の蒸発セクション
１６  反応チャンバ
１７  装置
１８  タンク
１９  計測用ポンプ
２０  ラインセクション
２１  車両
２２  内燃エンジン
２３  排気システム
２４  ＳＣＲ触媒体
２５  ポート
２６  制御器
２７  触媒コンバータ
２８  フローマニピュレータ
２９  流入領域
３０  流出領域
３１  流れ方向
３２  セラミック層
３３  セラミック管
３４  間隙
３５  遷移領域
３６  ハニカム体
３７  拡大部
３８  軸
３９  直径
４０  ターニングセクション
４１  ＰＴＣ要素
４２  銅粉
【図１】
2011516769.tif 000003
【図２】
2011516769.tif 000004
【図３】
2011516769.tif 000005
【図４】
2011516769.tif 000006
【図５】
2011516769.tif 000007
【国際調査報告】
2011516769.tif 000008
2011516769.tif 000009
2011516769.tif 000010
2011516769.tif 000011
2011516769.tif 000012
2011516769.tif 000013